(57)【要約】 【課題】  高さ方向にコンパクトにまとめられた画像形成装置を提供する。【解決手段】  原稿を走査して原稿の画像を読み取り可能な画像読取部２０と、画像読取部２０で読み取った画像信号に基づき原稿の画像を用紙４３上に形成する画像形成部３０とを備え、画像読取部２０は、画像形成部３０の側面部において原稿載置面２０Ａ側を画像形成部３０側に向けた縦型配置となる収容位置と、画像形成部３０の側方に張り出して画像載置面を上面に向けて押さえカバー２１が開放可能となる作動位置との間で変位可能とするヒンジ機構によって画像形成部３０に支持される。【選択図】  図２
2006101378.tif 000002
【特許請求の範囲】
【請求項１】
原稿載置面上に載置された原稿を押さえカバーによって押さえた状態で、前記原稿を走査して原稿の画像を読み取り可能な画像読取部と、
前記画像読取部で読み取った画像信号に基づき前記原稿の画像を用紙上に形成する画像形成部とを備えた画像形成装置において、
前記画像読取部は、前記画像形成部の側面部において前記原稿載置面側を前記画像形成部側に向けた縦型配置となる収容位置と、前記画像形成部の側方に張り出して前記画像載置面を上面に向けて前記押さえカバーが開放可能となる作動位置との間で変位可能とする支持機構によって前記画像形成部に支持されていることを特徴とする画像形成装置。
【請求項２】
前記支持機構は、前記画像読取部の下端寄りに設けたヒンジ軸を中心として前記画像読取部を前記収容位置と前記作動位置との間で回動可能に支持するヒンジ機構であることを特徴とする請求項１記載の画像形成装置。
【請求項３】
原稿載置面上に載置された原稿を押さえカバーによって押さえた状態で、前記原稿を走査して原稿の画像を読み取り可能な画像読取部と、
前記画像読取部で読み取った画像信号に基づき前記原稿の画像を用紙上に形成する画像形成部とを備えた画像形成装置において、
前記画像読取部は、前記画像形成部の側面部において前記原稿載置面側を前記画像形成部側とは反対側に向けた縦型配置となる収容位置と、前記画像形成部の側方にほぼ水平に張り出して前記画像載置面を上面に向けて前記押さえカバーが開放可能となる作動位置との間で変位可能とする支持機構によって前記画像形成部に支持されていることを特徴とする画像形成装置。
【請求項４】
前記画像読取部を前記作動位置に保持するロック機構を有することを特徴とする請求項１ないし請求項３のいずれかに記載の画像形成装置。
【請求項５】
前記画像形成部において画像が形成された用紙を排出するための排紙機構の排出部は、前記画像形成部の上面に設けられていることを特徴とする請求項１ないし請求項４のいずれかに記載の画像形成装置。
【請求項６】
前記画像読取部には原稿を前記原稿載置面に供給する自動給紙機構が備えられていることを特徴とする請求項１ないし請求項５のいずれかに記載の画像形成装置。
【請求項７】
前記画像読取部が前記収容位置に配された状態における前記自動給紙機構の原稿供給口は前記画像形成部側とは反対側に位置していることを特徴とする請求項１ないし請求項６のいずれかに記載の画像形成装置。
【請求項８】
前記画像形成部内部の部品を交換する際に開閉されるメンテナンスカバーは、前記画像形成部の上面に設けられていることを特徴とする請求項１ないし請求項７のいずれかに記載の画像形成装置。
【請求項９】
前記画像読取部は、前記画像形成部において用紙を供給するために設けられた給紙カセットの引出し方向と同一の面側に設けられていることを特徴とする請求項１ないし請求項８のいずれかに記載の画像形成装置。
【請求項１０】
前記画像読取部は、前記画像形成部において画像が形成された用紙が排出される排紙トレイへの用紙排出方向と同一の面側に設けられていることを特徴とする請求項１ないし請求項９のいずれかに記載の画像形成装置。
【発明の詳細な説明】
【技術分野】
【０００１】
本発明は、画像形成装置に関する。
【背景技術】
【０００２】
従来、パーソナルコンピュータ等に接続してスキャナ、プリンタ、コピー機等として複数用途に使用可能な画像形成装置として、原稿載置面上に載置した原稿を押さえカバーで押さえるとともに、この原稿画像を走査して読み取るフラットベッド方式の画像読取部と、この画像読取部の下方に配され画像読取部で読み取った画像、あるいは、パーソナルコンピュータ等の外部制御機器から送られてくる印刷データ（画像）を用紙に形成する画像形成部とを備えたものが知られている。
【特許文献１】特開２００４−２２２０８４公報
【発明の開示】
【発明が解決しようとする課題】
【０００３】
ここで、このように画像形成部と画像読取部とを上下に配置する構成では、画像形成部が下方に設けられる分だけ、画像読取部の位置が高くなってしまい、例えば、机の上や棚の上など比較的高いところに画像形成装置を設置した場合には、画像読取部が使いにくくなるおそれがあった。
【０００４】
本発明は上記のような事情に基づいて完成されたものであって、高さ方向にコンパクトにまとめられた画像形成装置を提供することを目的とする。
【課題を解決するための手段】
【０００５】
上記の目的を達成するための手段として、請求項１の発明は、原稿載置面上に載置された原稿を押さえカバーによって押さえた状態で、前記原稿を走査して原稿の画像を読み取り可能な画像読取部と、前記画像読取部で読み取った画像信号に基づき前記原稿の画像を用紙上に形成する画像形成部とを備えた画像形成装置において、前記画像読取部は、前記画像形成部の側面部において前記原稿載置面側を前記画像形成部側に向けた縦型配置となる収容位置と、前記画像形成部の側方に張り出して前記画像載置面を上面に向けて前記押さえカバーが開放可能となる作動位置との間で変位可能とする支持機構によって前記画像形成部に支持されている構成としたところに特徴を有する。
【０００６】
請求項２の発明は、請求項１に記載のものにおいて、前記支持機構は、前記画像読取部の下端寄りに設けたヒンジ軸を中心として前記画像読取部を前記収容位置と前記作動位置との間で回動可能に支持するヒンジ機構であるところに特徴を有する。
【０００７】
請求項３の発明は、原稿載置面上に載置された原稿を押さえカバーによって押さえた状態で、前記原稿を走査して原稿の画像を読み取り可能な画像読取部と、前記画像読取部で読み取った画像信号に基づき前記原稿の画像を用紙上に形成する画像形成部とを備えた画像形成装置において、前記画像読取部は、前記画像形成部の側面部において前記原稿載置面側を前記画像形成部側とは反対側に向けた縦型配置となる収容位置と、前記画像形成部の側方にほぼ水平に張り出して前記画像載置面を上面に向けて前記押さえカバーが開放可能となる作動位置との間で変位可能とする支持機構によって前記画像形成部に支持されている構成としたところに特徴を有する。
【０００８】
請求項４の発明は、請求項１ないし請求項３のいずれかに記載のものにおいて、前記画像読取部を前記作動位置に保持するロック機構を有するところに特徴を有する。
【０００９】
請求項５の発明は、請求項１ないし請求項４のいずれかに記載のものにおいて、前記画像形成部において画像が形成された用紙を排出するための排紙機構の排出部は、前記画像形成部の上面に設けられているところに特徴を有する。
【００１０】
請求項６の発明は、請求項１ないし請求項５のいずれかに記載のものにおいて、前記画像読取部には原稿を前記原稿載置面に供給する自動給紙機構が備えられているところに特徴を有する。
【００１１】
請求項７の発明は、請求項１ないし請求項６のいずれかに記載のものにおいて、前記画像読取部が前記収容位置に配された状態における前記自動給紙機構の原稿供給口は前記画像形成部側とは反対側に位置しているところに特徴を有する。
【００１２】
請求項８の発明は、請求項１ないし請求項７のいずれかに記載のものにおいて、前記画像形成部内部の部品を交換する際に開閉されるメンテナンスカバーは、前記画像形成部の上面に設けられているところに特徴を有する。
【００１３】
請求項９の発明は、請求項１ないし請求項８のいずれかに記載のものにおいて、前記画像読取部は、前記画像形成部において用紙を供給するために設けられた給紙カセットの引出し方向と同一の面側に設けられているところに特徴を有する。
【００１４】
請求項１０の発明は、請求項１ないし請求項９のいずれかに記載のものにおいて、前記画像読取部は、前記画像形成部において画像が形成された用紙が排出される排紙トレイへの用紙排出方向と同一の面側に設けられているところに特徴を有する。
【発明の効果】
【００１５】
＜請求項１の発明＞
本構成によれば、画像形成部の側面部に画像読取部を配置し、その状態で縦型配置となる収容位置と、側方に張り出した作動位置との間で変位できるようになっているから、収容位置および作動位置の双方において、画像読取部を画像形成部の上方に配置する構成と比較して高さ方向にコンパクトにまとめることができ、高いところに設置した場合であっても、操作性が確保される。
【００１６】
＜請求項２の発明＞
本構成によれば、支持機構は、画像読取部の下端寄りに設けたヒンジ軸を中心として画像読取部を収容位置と作動位置との間で回動可能に支持するヒンジ機構であるから、簡易な構成で収容位置と作動位置との間の変位が可能となる。
【００１７】
＜請求項３の発明＞
請求項１と同じ。しかも、作動位置では画像読取部の原稿載置面が水平状態となるから、原稿の読み取り作業が容易になる。
【００１８】
＜請求項４の発明＞
本構成によれば、ロック機構により、画像読取部が作動位置に配された状態を維持することができる。
【００１９】
＜請求項５の発明＞
画像形成部の上方には、画像読取部が形成されず邪魔にならないから、排紙された用紙の取り出し作業が容易になる。
【００２０】
＜請求項６の発明＞
本構成によれば、原稿載置面上に原稿を載置する必要がない。
【００２１】
＜請求項７の発明＞
本構成によれば、画像読取部が収容位置に配された状態で、原稿載置面が直接使用できない場合であっても、自動給紙機構に原稿を給紙することにより、原稿画像の読み取りが可能になる。
【００２２】
＜請求項８の発明＞
本構成によれば、メンテナンスカバーを開放することにより、画像形成部の上方から行う画像形成部内部の部品の交換等の作業が容易になる。
【００２３】
＜請求項９の発明＞
本構成によれば、画像読取部が給紙カセットの引出し方向と同一の面側に設けられているので、用紙の補給を行うときと同じ面側から画像読取部を使用することができ、装置の利便性に優れている。
【００２４】
＜請求項１０の発明＞
本構成によれば、画像形成後の用紙が排出される排紙トレイへの用紙排出方向と同一の面側に画像読取部が設けられているので、排紙トレイから用紙を取り出すときと同じ面側から画像読取部を使用することができ、装置の利便性に優れている。
【発明を実施するための最良の形態】
【００２５】
＜実施形態１＞
図１ないし図４では、画像形成装置の一例である多機能装置１０の全体の構成について説明する。なお、本実施形態において、排紙口３９から排紙トレイ１１に排出される用紙４３の排出方向下流側を装置前方側、その反対側を後方側とし、この前後方向と直交する左右方向を幅方向としている。具体的には、多機能装置１０の前方向、左手方向、右手方向、後方向、上面方向、底面方向をそれぞれ−Ｚ方向、−Ｘ方向、＋Ｘ方向、＋Ｚ方向、＋Ｙ方向、−Ｙ方向とする。即ち、Ｚ軸方向が前後方向に相当し、Ｘ軸方向が幅方向に相当する。
【００２６】
多機能装置１０は、図１に示すように、全体がやや前後方向に長い略直方体状をなし、その前端部に設けられて原稿の読み取りを行う画像読取部２０と、それより後方のほぼ全体に亘って設けられ、画像読取部２０で読み取られた原稿の画像データや他の制御機器等から送られてきた画像データ等に基づいて用紙４３に画像を形成する画像形成部３０とを備えた構成をなしている。ここで、詳しくは後述するが、この画像読取部２０は、画像形成部３０に対してヒンジ機構により回動可能に接続されており、画像読取部２０が多機能装置１０の前部にて縦置状態に配される収容位置と、同じく前部にて水平状態に配される作動位置とに回動変位可能となっている（図２参照）。画像読取部２０は、コピー機能、すなわち、原稿の読取データを画像形成部３０に送って印刷を行う機能を実行する場合の他、スキャナ機構、すなわち、原稿の読取データをパーソナルコンピュータ等の外部制御機器に送ってファイルに保存したりする機能を実行する場合にも、必要に応じて作動位置に配置される。
【００２７】
１．画像形成部
画像形成部３０には、図３に示すように、用紙４３を給紙するための給紙カセット４１を含む給紙部４０と、その上方に設けられて用紙４３を搬送する用紙搬送部５０と、その用紙搬送部５０の上方で当該用紙搬送部５０に沿うようにそれぞれ配され、搬送されてくる用紙４３に各色の画像を形成する４つの形成部６０とが備えられている。なお、本実施形態では、画像形成部３０の前面部、左面部、右面部、後面が本発明の「側面部」に相当する。
【００２８】
（１）給紙部
給紙部４０の給紙カセット４１は、多機能装置１０の前面の下部から手前側に引き出し可能に構成されている。
また、上記給紙カセット４１の底面には、用紙押圧板（図示しない）が設けられている。この用紙押圧板（図示しない）は、後端部の幅方向に延びる軸を中心として回動可能に支持されるとともに、図示しないばねによって前端部が上方向に付勢されている。これにより給紙カセット４１内に積層された用紙４３の前端側が上方に付勢された状態となっている。
【００２９】
さらに、給紙カセット４１の前端側上方には、給紙ローラ４４と給紙パット４５が互いに対向状に配設されており、給紙パット４５の裏側に設けられたばねによって、給紙パット４５が給紙ローラ４４に向かって押圧されている。
【００３０】
以上の構成により、給紙カセット４１の最上位にある用紙４３は、用紙押圧板（図示しない）の付勢力によって給紙ローラ４４に向かって押圧され、その給紙ローラ４４の回転によって給紙ローラ４４と給紙パット４５との間で挟まれて、一枚毎に給紙されるようになっている。
【００３１】
給紙カセット４１から給紙された用紙４３は、一対の紙粉取りローラ４６によって紙粉が取り除かれた後、用紙４３の先端を係止することによって用紙４３の斜行を補正するレジストローラ４８を介して次述する用紙搬送部５０に送られる。
【００３２】
（２）用紙搬送部
用紙搬送部５０は、前後方向に並べられた駆動回転ローラ５２と従動回転ローラ５３とに保持されて用紙搬送ベルト５１が循環移動するとともに、この用紙搬送ベルト５１の前面側がやや高くなるように（即ち、トナーの転写方向下流側がやや下がるように）傾斜した姿勢とされている。この用紙搬送部５０によって、上記一対の紙粉取りローラ４６から送られきた用紙４３は、前面側から後面側へ（図３において矢印方向）と搬送されるようになっている。
【００３３】
用紙搬送ベルト５１の上側ベルトの下面側には、各プロセスカートリッジ７０の感光体ドラム７１と対向配置される４つの転写ローラ５４が搬送方向に沿って設けられている。
【００３４】
なお、用紙搬送ベルト５１における駆動回転ローラ５２で折り返した面には、クリーニングブラシ５５が設けられている。このクリーニングブラシ５５は、用紙搬送ベルト５１の幅方向に延びた略円筒部材の周囲にブラシが設けられた構成となっており、用紙搬送ベルト５１を挟んで対向する位置に設けられた電極ローラ５６との間で所定の電位を発生させるバイアス電圧が印加されて、用紙搬送ベルト５１に接触しながら回転するように配設されている。また、クリーニングブラシ５５の近傍には、このクリーニングブラシ５５に付着したトナーをクリーニングブラシ５５から除去する回収ローラ５７と、この回収ローラ５７によってクリーニングブラシ５５から除去されたトナーを貯留しておく貯留ボックス５８が設けられている。
【００３５】
（３）形成部
形成部６０は、例えば色（ブラック、シアン、マゼンタ、イエロー）に対応した４つプロセスカートリッジ７０と、各プロセスカートリッジ７０に対応した同じく４つのレーザ走査部８０とを備えて構成されている。
【００３６】
各プロセスカートリッジ７０は、内部に収容するトナーの色が異なるだけで、その他はいずれも同じ構成になっている。プロセスカートリッジ７０には、感光体ドラム７１と、感光体ドラム７１の上方に設けられるトナーボックス７２と、トナーボックス７２の下方に供給ローラ７３及び現像ローラ７４とが設けられており、供給ローラ７３及び現像ローラ７４の動作により、感光体ドラム７１の表面にトナーが供給されるようになっている。
【００３７】
レーザ走査部８０は、レーザダイオード（図示しない）から出射されたレーザ光Ｌを所定面に沿って順次方向を変えるように反射するポリゴンミラー８２と、そのポリゴンミラー８２に反射されたレーザ光Ｌをプロセスカートリッジ７０の感光体ドラム７１に向けて折り返す反射鏡８３と、そのレーザ光Ｌの光路に設けられたレンズ（ｆθレンズなど）８４,８４とを、筐体８５に収納して構成されている。なお、筐体８５は、折り返されたレーザ光Ｌが感光体ドラム７１に到達するように、プロセスカートリッジ７０側に露光開口部８５Ａが設けられている。
【００３８】
これにより、感光体ドラム７１の表面には、レーザ走査部８０からのレーザ光Ｌによって静電潜像が形成され、続いて、現像ローラ７４が感光体ドラム７１の表面へトナーを供給することにより、上記静電潜像が現像される。また、感光体ドラム７１は、用紙搬送ベルト５１を挟んで転写ローラ５４と対向している。このため、上記のように、感光体ドラム７１上で静電潜像を現像したトナーは、転写ローラ５４から加わるバイアス電圧を受けて、用紙搬送ベルト５１上を搬送される用紙４３に転写される。これにより、用紙４３にブラック、シアン、マゼンタ、イエローの各色の画像が順次形成された後、用紙搬送部５０の搬送方向下流に設けられた定着器６５送られるようになっている。
【００３９】
定着器６５は、断熱性の筐体内に組み付けられた発熱ローラ６６や圧接ローラ６７等から構成され、用紙４３上に転写されたトナー像を紙面に熱定着させる。そして、トナー像の熱定着された用紙４３は、一対の排紙コロ６８，６８を介して排紙口３９から排紙トレイ１１へと排出される。
【００４０】
次に排紙トレイ１１は、一対の排紙コロ６８，６８の下方に設けたヒンジを中心に上方に開放可能に構成され、この排紙トレイ１１を開放することで、この排紙トレイ１１のほぼ全体がメンテナンスカバーとして、図３に示すように、プロセスカートリッジ７０を着脱したり、その他のメンテナンス作業を行うことができるようになっている。
【００４１】
２．画像読取部
画像読取部２０は、略直方体状をなし、常時は、図１に示すように、多機能装置１０の前面部に設けられた長方形状の開口部１０Ａにそのほぼ全体が収容される収容位置に配される（即ち、原稿載置面側が画像形成部側に向けられる縦型配置となる）。このとき、多機能装置１０の前面（即ち原稿載置面２０Ａ側の反対側）には、原稿トレイ１５に差込んだ原稿を自動的に読取らせるためのＡＤＦ１３（本発明の「自動給紙機構」に相当）が配されている。このＡＤＦ１３は、その下端部が原稿差込み口１２（本発明の「原稿供給口」に相当）となっており、原稿トレイ１５上に積載された原稿を原稿差込み口１２を介して搬送して、内部に設けられたＣＣＤイメージセンサ２３に読取らせるとともに、読取った原稿を排出トレイ１４から排出するようになっている。
【００４２】
原稿トレイ１５は、ＡＤＦ１３から斜め前側上方に向かって斜面を形成するように板状に突設され、その上部に原稿を積層保持することができる。原稿トレイ１５には、その原稿トレイ１５上に原稿が載置されているか否かを検出するためのフォトセンサ等を利用した原稿検出センサ（図示しない）が設けられている。なお、原稿トレイ１５の上端部には原稿の積載位置がずれないように位置決め部材１５Ａが設けられている。また、排出トレイ１４は、原稿トレイ１５の上方にて、ＡＤＦ１３から排出される読取後の原稿を積層して保持できるように、ＡＤＦ１３から斜め前側上方に向けて設けられている。
【００４３】
ここで、画像読取部２０の内部には、図４（Ａ）に示すように、原稿を誘導するための搬送路（図示しない）が弧を描くように設けられており、原稿トレイ１５上に載置された原稿が、搬送路に沿うように搬送路側に向けて設けられたＣＣＤイメージセンサ２３に読み取られた後、排出トレイ１４に導出されるようになっている。
【００４４】
具体的には、搬送路の原稿搬送方向の上流側先端部には、原稿トレイ１５上に載置された原稿を一枚ずつ分離して搬送路に導くための供給ローラ１８Ａが設けられている。また、搬送路上であってＣＣＤイメージセンサ２３との対向部には、そこを通過する原稿を押圧してＣＣＤイメージセンサ２３部分に密着させるための押圧ローラ１８Ｂが設けられ、搬送路の原稿搬送方向の下流側末端部には、原稿を排出トレイ１４に排出するための排出ローラ１８Ｃが設けられている。
【００４５】
なお、ＣＣＤイメージセンサ２３は、原稿の搬送方向（Ｙ軸方向）と直交する方向に延設されたライン型のセンサである。その延設方向（Ｘ軸方向）に複数のフォトダイオード（図示外）が列設されている。ＣＣＤイメージセンサ２３は、光源（図示外）より原稿に強い光を当てたときの反射光を個々のフォトダイオードで受光し、原稿の画素毎に反射光の光強度（明度）を電気信号に変換するものである。画像読取部２０では、これをＡ／Ｄ変換機にてデジタルデータ化することで、原稿上に形成された画像を画像データとして読取ることができる。
【００４６】
また、ＡＤＦ１３による原稿の搬送速度は予め実験等で判明しているので、通過検出センサにより搬送される原稿が検出されたタイミング（原稿の搬送方向先端の検出のタイミング）までの期間をもとに、搬送方向における原稿の長さを推定することができる。また、所定時間が経過しても原稿の検出が完了しなければ、搬送時の原稿の詰まり、いわゆるジャムの発生を検知することができる。
【００４７】
このようにすれば、画像読取部２０が収容位置に配された状態で、原稿載置面２０Ａが直接使用できない場合であっても、ＡＤＦ１３に原稿を給紙することにより、原稿画像の読み取りが可能になる。
【００４８】
また、画像読取部２０は、縦型配置で収容された収容位置において、下端部には幅方向（Ｘ軸方向）に設けられるヒンジ軸１９により回動可能に構成されたヒンジ機構を備える一方で、上端部が自由端とされており、これにより下端部を軸として回動可能となっている。
さらに、画像読取部２０の両端部の略中央と画像形成部３０の開口部３０Ａの内壁とが、両端部３８Ａ,３８Ｂを回転可能に構成されたストッパ棒３８の当該両端部３８Ａ,３８Ｂで接続されている。この開口部３０Ａの内壁には、水平方向に所定距離（次述する画像読取部２０が水平となるまでの距離）だけ形成された溝部３０Ｂを有し、ストッパ棒の一端部３８Ｂがこの溝部内のみを水平移動可能となっている。
【００４９】
そして、画像読取部２０が水平状態となるまで回動された時点で、画像読取部２０の回動がストッパ棒により係止されて画像読取部２０が水平状態（画像読取部２０が前方（側方）に張り出した状態）となる作動位置に保たれるようになっている。したがって、溝部３０Ｂ及びストッパ棒３８が本発明の「ロック機構」に相当する。なお、画像読取部２０の上端部中央には、画像読取部２０の回動作業を容易にするための把手部２０Ｃが設けられている。
【００５０】
この作動位置では、いわゆるフラットベッド方式で原稿の読取を行う際に原稿を載置するための透明なガラス板２２が上方に向けられるとともに、このガラス板２２に原稿を載置した状態で、原稿を押さえるための押さえカバー２１がガラス板２２の後端部（収容位置では下端部）におけるＸ軸方向を支軸（図示外）として、多機能装置１０の前方側から上下方向に開閉可能となっている。
【００５１】
この作動位置における原稿の読取りは、画像読取部２０を水平状態に保たれたまま、ガラス板２２の板面２２ａ上に原稿を載置して行う。
【００５２】
この場合、ガラス板２２の板面２２ａに沿って前後方向（Ｚ軸方向。なお、左右方向でもよく、この場合はＸ軸方向）に移動可能なＣＣＤイメージセンサ２４を上記したＡＤＦ１３用のＣＣＤイメージセンサ２３とは別体として設け、ＣＣＤイメージセンサ２４を移動させることにより、ガラス板２２上に載置された原稿の読取りが行われる。
【００５３】
なお、ＡＤＦ１３用のＣＣＤイメージセンサ２３と、原稿載置面２０Ａに原稿を載置した状態で用いるＣＣＤイメージセンサ２４とについて、共通のＣＣＤイメージセンサを用いることもできる。この場合は、収容位置における下端部において幅方向に長い共通のＣＣＤイメージセンサ２４を後方（ガラス板２２側）に向けて配し、ＡＤＦ１３の使用時には、図４（Ｂ）に示すように、収容位置において原稿差込み口１２に挿入された原稿を、ガラス板２２上まで回りこませて共通のＣＣＤイメージセンサ２４で読み取るものである。このとき、ＣＣＤイメージセンサ２４を停止させた状態で原稿を移動させて読み取る構成としてもよく、また、原稿を原稿載置面２０Ａ上で一端停止させた状態とし、ＣＣＤイメージセンサ２４を移動させることにより、原稿を読み取る構成としてもよい。
そして、原稿の読取終了後は、搬送ローラ（図示しない）により原稿が上方に搬送されて画像読取部２０の上方側に設けられる図示しない排出口から排出されるようにすればよい。
【００５４】
なお、画像読取部２０の上方であって、多機能装置１０の上面には、操作パネル１７が設けられており、この操作パネル１７は、左右方向（Ｘ軸方向）に延設されたパネル状の入出力部であり、利用者が多機能装置１０の操作を行うための複数のスイッチ等が設けられている。
【００５５】
３．本実施形態の効果
このように、本実施形態によれば、画像形成部３０の（前面部）側面部に画像読取部２０を配置し、その状態で縦型配置となる収容位置と、側方に張り出した作動位置との間で変位できるようになっているから、収容位置および作動位置の双方において、画像読取部２０を画像形成部３０の上方に配置する構成と比較して高さ方向にコンパクトにまとめることができ、高いところに設置した場合であっても、操作性が確保される。
【００５６】
また、多機能装置１０上面において排紙トレイ１１を兼ねる構成のメンテナンスカバーが設けられている。したがって、特に、上記したような画像形成部３０内に収容された部品が多く、その分装置の高さが高くなりやすいカラーレーザプリンタにおいても、高さを抑制することができることにより部品交換等の作業性の向上を図ることができる。
【００５７】
さらに、例えば、上記構成以外にも画像読取部を画像形成部の側方に形成する構成として、画像読取部２０を画像形成部の側方において縦型に配し、ここから画像読取部を上端を固定端としてやや傾斜させる。そして、押さえカバーの下端部を軸として押さえカバーを開放（外）方向に回動させて傾斜した原稿載置面２０Ａを露出させる。この状態で、上方から原稿載置面上に原稿を載置した後、当該原稿を押さえカバーで挟み、この原稿画像を走査して読み取ることで用紙４３に画像を形成することも可能と考えられる。
【００５８】
しかしながら、かかる構成では、原稿載置面が傾斜しているため、原稿載置面上に原稿等を載置することが困難であるだけでなく、上方から原稿が挿入できるようにするために、押さえカバーの下端部を軸として押さえカバーを開く構成であるため、何らかの要因で押さえカバー２１が必要以上開いてしまったときに、押さえカバーが床面（地面）等にぶつかってしまうか若しくは途中で止まったとしても押さえカバーと画像読取部との接続部分に生じる衝撃によりかかる接続部分に故障等が生じるおそれががあり望ましくない。
【００５９】
そこで、本実施形態の構成によれば、収容位置において原稿載置面２０Ａが内方（後方）に向けて配されるとともに、押さえカバー２１についても押さえカバー２１の軸が画像読取部２０と画像形成部３０とを接続するヒンジ軸１９と同様に下端側に配された状態で内方側に配されることになり、画像読取部２０が作動位置に移動するまでの間及び画像読取部２０を作動位置で使用する場合のいずれのときにおいても、押さえカバー２１に故障等が生じにくくなる。
【００６０】
＜実施形態２＞
次に、本発明の実施形態２を図５ないし図８によって説明する。
実施形態２は、実施形態１と異なり、画像読取部９０の収容位置において原稿載置面２０Ａが外方側に向けられた状態で配され、その上（前）の押さえカバー９１にＡＤＦ９３が一体的に形成された構成とされている。したがって、収容位置におけるＡＤＦ９３の位置は、実施形態１と同様に前方に露出した位置に形成されている。なお、実施形態１と同様の構成については、同一の符号を付して説明を省略する。
【００６１】
画像読取部９０は、収容位置において、図６に示すように、原稿トレイ９５と排出トレイ９４とが原稿差込み口（Ｙ軸方向）を軸としてやや手前に引き出せるようになっており、原稿の挿入がしやすいようになっている。
【００６２】
また、画像読取部９０は、画像形成部９６内に設けられる昇降機構（図示しない）から延出されたアーム部９７（図７参照）により画像形成部９６と接続されており、収容位置において、下端部を自由端とし、上端部はアーム部９７の端部において幅方向（Ｘ軸方向）に設けられるヒンジ軸９８により回動可能に構成されている。
【００６３】
そして、原稿載置面９０Ａを使用するときには、図７に示すように、画像読取部９０が水平状態となるまで回動した時点で、ロック機構によりヒンジ軸９８の回動が規制される。
【００６４】
ここから、画像読取部９０を下方に移動させると、昇降機構がロックされて、これ以上の下方への移動が規制されて作動位置に固定されるから、原稿載置面９０Ａ上に原稿を載置して押さえカバー９１で押さえつけてもがたつくことなく安定した状態で原稿を読み取り作業を行うことができる（図８参照）。
【００６５】
＜他の実施形態＞
本発明は上記記述及び図面によって説明した実施形態に限定されるものではなく、例えば次のような実施形態も本発明の技術的範囲に含まれ、さらに、下記以外にも要旨を逸脱しない範囲内で種々変更して実施することができる。
【００６６】
（１）画像読取部９０を移動させるために、ヒンジ機構を用いて回動させる構成に限らず、例えば、鉤状の孔の一端から他端に向けて矩形の周面を有する軸を移動させることにより、作動位置と収容位置とを移動させる構成としてもよい。
【００６７】
（２）原稿の画像をＣＣＤイメージセンサで読み取ることとしたが、ＣＩＳ（コンタクトイメージセンサ）で読み取る構成としてもよい。
【図面の簡単な説明】
【００６８】
【図１】実施形態１に係る画像形成装置の画像読取部が収容位置に配されているときの図
【図２】画像読取部が作動位置に配されているときの図
【図３】画像形成装置の内部を概略的に示す側断面図
【図４】（Ａ）２つのイメージセンサが画像を読み取る際の概念的構成を示す図  （Ｂ）共通のイメージセンサが画像を読み取る際の概念的構成を示す図
【図５】実施形態２に係る画像形成装置の画像読取部が収容位置に配されているときの図
【図６】ＡＤＦに用紙を挿入した図
【図７】画像読取部を水平にした図
【図８】画像読取部を固定位置に固定した図
【符号の説明】
【００６９】
１０…多機能装置
１１…排紙トレイ
１２…原稿差込み口
１３…ＡＤＦ
１４…排出トレイ
１５…原稿トレイ
１９，９８…ヒンジ軸
２０,９０ …画像読取部
２０Ａ ９０Ａ…原稿載置面
２１,９１…押さえカバー
３０,９６…画像形成部
【図１】
2006101378.tif 000003
【図２】
2006101378.tif 000004
【図３】
2006101378.tif 000005
【図４】
2006101378.tif 000006
【図５】
2006101378.tif 000007
【図６】
2006101378.tif 000008
【図７】
2006101378.tif 000009
【図８】
2006101378.tif 000010